Podtech/llm-jp-corpus-v4-ja_patent huggingface dataset:
(57)【要約】【課題】パチンコ遊戯中において、喫煙客のタバコの煙を隣の遊戯客の方に流れないようにする方法【解決手段】パチンコの遊戯台と遊戯台の間にタバコの煙をさえぎる目的で隔て板を設置した隔て板を半透明に取替え、個人のプライバシーの保護につとめた【選択図】図１
2007181642.tif 000002
【特許請求の範囲】
【請求項１】
パチンコの遊戯台と遊戯台との間に隔て板を有するパチンコ遊戯台
【発明の詳細な説明】
【技術分野】
【０００１】本発明はパチンコ遊戯中に、隣の客のタバコの煙が隣の台の方向に流れてくるのを防止する為に、遊戯台と遊戯台の間に隔て板を設けたものである
【背景技術】
【０００２】従来はパチンコ遊戯において隣の客が喫煙すると、煙が隣の客のほうにも流れてきて、息苦しいが仕方なかった
【発明の開示】
【発明が解決しようとする課題】
【０００３】遊戯客のタバコの煙が隣の遊戯客の方に流れるのを防止する目的である
【課題を解決するための手段】
【０００４】遊戯台と遊戯台の間に隔て板を設置した
【発明の効果】
【０００５】隣の客のタバコの煙が隣に流れてくるのが防げた
【発明を実施するための最良の形態】
【０００６】遊戯台と遊戯台の間に隔て板を設置した【０００７】隔て板を引き出し式にした【０００８】隔て板を透明タイプと半透明タイプに付け替え可能とした
【実施例】
【０００９】遊戯台と遊戯台の間に隔て板を設置することで、隣の客のタバコの煙が流れてくるのが防止できた
【産業上の利用可能性】
【００１０】パチンコ店内全体の、排煙設備は整っていても、遊戯台には、タバコの煙の害を防ぐ対策はなされていないので、必要である
【図面の簡単な説明】
【００１０】
【図１】遊戯台と遊戯台の間に隔て板を設置した状態を示した図
【図１】
2007181642.tif 000003
(57)【要約】【課題】何も入ってない時は平滑であって、袋の中の物同士が傷つきあう事が無いかばんや袋物の内ポケットを提供することを課題とする。【解決手段】かばんや袋物の内面に複数列の切込みをいれたシ−トを装着して内ポケットを形成する。【選択図】図１
2007181646.tif 000002
【特許請求の範囲】
【請求項１】
複数列の切込みを入れたシ−トをかばんや袋物の内面に装着して形成した内ポケット。
【請求項２】
縦方向に切り込みの入ったシートを使用した請求項１の内ポケット。
【請求項３】
透明なシートを使用した請求項１乃至請求項２の内ポケット。
【請求項４】
請求項１乃至請求項３の内ポケットを装着したかばんや袋物。
【発明の詳細な説明】
【発明の詳細な説明】
【技術分野】
【０００１】  この発明は、かばんや袋物の内ポケットに関するものである。
【背景技術】
【０００２】  従来、ポケットとしては布帛やシ−ト状のものや網目状のネットなど様々あったが、通常は嵩が低く、ひとたび内ポケットに物を入れると嵩が高くなり、内ポケットの中の物と外の物が傷つけ合うことを抑止するクッション性を有するような内ポケットは無かった。【０００３】  また、陶磁器などを購入した際に陶器の包装資材として複数列の切り込み入りのクレ−プ紙があった。それに包むと引っ張る力がかかり、切込みがネットに変わり、クッション性が出て陶器を保護するのである。
【発明の開示】
【発明が解決しようとする課題】
【０００４】  いつも会社帰りに買い物に行く際、携帯式の手提げバックを使用するが、袋の中で物同士がこすれあい、ぶつかり合い、時には袋が破れて汁が出たり、卵が割れたりしていた。これを何とか防ぎたい。【０００５】  買う品物には冷たい物、熱い物などがある。これらは密着して袋には入れたくない。【０００６】  買った物を傷をつけないで持って帰るには、クッション性のあるもので包んで持って帰りたい。しかし嵩高いのはいやだ・・・等さまざまな要望が寄せられていた。
【課題を解決するための手段】
【０００７】  請求項１記載の発明は、複数列の切込みを入れたシ−トをかばんや袋物の内面に装着して形成した内ポケットである。【０００８】  請求項２記載の発明は、縦方向に切り込みの入ったシートを使用した請求項１の内ポケットである。【０００９】  請求項３記載の発明は、透明なシートを使用した請求項１乃至請求項２の内ポケットである。【００１０】  請求項４記載の発明は、請求項１乃至請求項３の内ポケットを装着したかばんや袋物である。
【発明の効果】
【００１１】  本発明の請求項１によれば、複数列の切込みを入れたシ−トをかばんや袋物の内面に装着して内ポケットを形成させる。こうすると内ポケットに何も入ってない時は平滑だが、物を入れると内ポケットのシ−ト部分が斜めに立ってクッション性が出てくる。したがって、従来のように物同士がこすれあい、ぶつかり合い、袋が破れて汁が出たり、卵が割れたりすることは無い。【００１２】  また、買う品物には冷たい物、熱い物などがあるが、これらが密着するような不都合が生じることはなく、空気が流通しやすくなる。【００１３】  本発明の請求項２によれば、縦方向に切り込みの入ったシートを使用した内ポケットの内部に物を入れる際、引っ掛かりが少なくて物の出し入れがしやすい。【００１４】  本発明の請求項３によれば、透明なシートを使用した内ポケットなので、平滑な物をポケットに入れた際に中身がよく見えるので、袋から出し忘れるのを防ぐことができる。【００１５】  本発明の請求項４によれば、縦方向に複数列の切込みを入れた透明なシ−トを装着し形成した内ポケット付の袋物なので、内ポケットに物を入れると内ポケットのシ−ト部分が斜めに立ってクッション性が出てくる。したがって、従来のように物同士がこすれあい、ぶつかり合い、袋が破れて汁が出たり、卵が割れたりすることは無い。また折りたたんだ際、クッション性を有するバックとは思えないほど平滑で嵩の低さが特徴である。
【発明を実施するための最良の形態】
【００１６】  以下各図面で袋物に内ポケットを設けた構成を具体例として挙げて説明するが、本考案はこれらに限定されるものではなく、勿論、かばんに内ポケットを設けた構成でもよい。図５は本発明に係る袋物の正面図、図４は側面図、図３は平面図である。そして図１は図４のＡ−Ａ断面図である。また図２は内ポケットに物が入ったときの状態図である。【００１７】  図１に示すように袋物本体１の内面に縦方向に千鳥状に複数列の切込みを入れた塩化ビニル製シ−トの上部を除きミシンで縫い合わせて内ポケット３を形成している。【００１８】  この内ポケット３に物を入れると、図２に示すようにシ−ト部分が斜めに立ってクッションが形成される。このクッションにより内ポケット３の中の物と外の物がこすれあったり、ぶつかり合ったりすることがない。【００１９】  本実施例において縦方向に切込みの入った内ポケット３とは、シ−トの外側より縫製代又は接着代を除き、縦方向に千鳥状に複数列の切込みを入れたシート生地で作った内ポケット３のことをいう。【００２０】  内ポケットの装着方法は、ミシンでの縫製にかかわらず、接着剤での接着やインパルスシ−ル、高周波シ−ル、ヒ−トシ−ル、金具などで止めても構わない。【００２１】  本考案においてシートの材料としては塩化ビニル系の樹脂、塩化ビニリデン系樹脂、ポリエチレン若しくはポリプロピレン等のポリオレフィン系樹脂、ポリスチレン系樹脂、ポリエステル系樹脂、ポリアミド系樹脂、ポリカ−ボネ−ト、ポリビニルアルコ−ル系樹脂などの単独乃至共重合体樹脂その他繊維系樹脂、ゴム系樹脂などの如き樹脂の非発泡性ないし発泡性シートなどを用いる。またシートは透明または内容物が視認できる程度の半透明のものがよい。
【図面の簡単な説明】
【００２２】
【図１】図４のＡ−Ａ断面図である。
【図２】内ポケット３に物を入れた状態の図である。
【図３】本発明に係る袋物の平面図である。
【図４】本発明に係る袋物の側面図である。
【図５】本発明に係る袋物の正面図である。
【符号の説明】
【００２３】１・・・・・・・・・袋物本体
２・・・・・・・・・紐
３・・・・・・・・・内ポケット
【図１】
2007181646.tif 000003
【図２】
2007181646.tif 000004
【図３】
2007181646.tif 000005
【図４】
2007181646.tif 000006
【図５】
2007181646.tif 000007
(57)【要約】【課題】  希ガス等の封入体を必要としない空中に浮く器具の提供。【解決手段】  軽量な被覆材１は、強靭で軽量な支持体２により外圧で押しつぶされないようにする。この内部の空間を低圧にすることで、支持体および被覆材が軽量であるために、本器具は空中に浮遊することが可能となる。【選択図】図１
2007181386.tif 000002
【特許請求の範囲】
【請求項１】
被覆材で支持体を覆い、その内部の気圧を低下させることで空中に浮くことが可能な器具および装置。
【発明の詳細な説明】
【技術分野】
【０００１】  本発明は、軽量の被覆材で強靭な支持体を覆い、その内部の気圧を低下させることで希ガスなどを封入せずとも空中に浮遊させることを可能にする器具である。
【発明が解決しようとする課題】
希ガス等の封入体を必要としない空中に浮く器具の提供。
【課題を解決するための手段】
軽量で強靭な支持体を、軽量な被覆材で覆い、内部の気圧を低下させることで空中に浮遊することを可能にする。
【発明を実施するための最良の形態】  本発明は、被覆材とその支持体から成る器具である。この器具の内部は低圧にしてあるために、希ガス等の封入体を内部に添加せずとも空中に浮遊することが可能である。
図面について説明すれば、被覆材１は強靭な支持体２を覆っている。内部の気圧を低下させることで、本器具は空中に浮くことが可能となる。
【図面の簡単な説明】
【図１】  骨格を被覆材で覆ったものの断面図である。
【符号の説明】
１    被覆材
２    支持体（骨格）
３    低圧にする空間部分
【図１】
2007181386.tif 000003
(57)【要約】【課題】  分厚い構造を持たず装着時の違和感なしに、経血吸収作用をスムーズにし、同時に吸収力を高め、漏れを防止する生理用ナプキン。【解決手段】  平板状の本体に、引き出し、立つようにした部分（ガイド部分）を設けることにより、膣口部とナプキンとの間にできる隙間をなくし、そのガイド部分が経血吸収を拡散させずスムーズにする。さらに、引き出した跡の部分が凹部となり経血を蓄えやすくなる。これらにより漏れを防止する。なおかつ、分厚い構造を持たないので、装着時の違和感をなくすことができる。【選択図】図３
2007181500.tif 000002
【特許請求の範囲】
【請求項１】
引き出し式の経血吸収ガイド部分を持つ生理用ナプキン。
【請求項２】
引き出し式の経血吸収ガイド部分を、引き出して使用することもでき、また、引き出さずに畳んだまま使用することもできる、生理用ナプキン。
【請求項３】
引き出し式の経血吸収ガイド部分を引き出して立てた跡の凹部分を、経血だまりの役割として持つ、生理用ナプキン。
【発明の詳細な説明】
【技術分野】
【０００１】本発明は、引き出し式の経血吸収ガイドを設けることにより、経血吸収作用をスムーズにし、同時に吸収力を高め、漏れを防止する生理用ナプキンであり、これを分厚い構造を持たず装着時の違和感なしに実現するものである。
【背景技術】
【０００２】従来の生理用ナプキンは、平板な吸収体であったので、経血を吸収する際に膣口部と密着していない隙間から漏れが生じるという欠点があった。これを隙間なく密着させるとすれば、ナプキン表面に凹凸を作るなどの複雑な形状にならざるを得ず、従って分厚くなり、行動の不自由や、装着時の違和感などの不具合意が生じる。【０００３】
【特許文献１】  特開２００５−３３４２９３  号公報
【発明の開示】
【発明が解決しようとする課題】
【０００４】従来の生理用ナプキンは、窪みのある人体陰唇部に対して平板な吸収体であったので、経血を吸収する際に膣口部と密着していない隙間から漏れが生じるという欠点があった。その隙間をなくし、経血を拡散させずに吸収し、漏れを防止することが課題である。また、隙間なく密着させるとすれば、ナプキン表面に凹凸を作るなどの複雑な形状にならざるを得ず、従って分厚くなり、行動の不自由や、装着時の違和感などの不具合意が生じる。これらの不具合意を解消することが課題である。
【課題を解決するための手段】
【０００５】本発明はその課題を解決するために、ナプキン本体に引き出し式の経血吸収ガイド部分を設けたものである。ガイド部分は、使用時に引き出すことにより、ナプキンと膣口部の間に隙間を作らず、なおかつ経血吸収の道すじ（ガイド）となる。一体に液体はその表面張力のためもあって、最初に流れ出す時にはきっかけ・ガイドがあると容易で、また、ビーカーや水差しの注ぎ口のような形状が有利である。従って、面全体で不特定に吸収が起こるよりは、予め吸収しやすい部分を導入部（ガイド）として設置しておき、吸収がここから真っ先に起こるようにしておけば、経血が拡散することを防ぐことができる。しかも、引き出した跡の凹部分は、経血の吸収用ポケット（空間）になり、吸収力を高め好都合である。引き出し式というコンパクトなガイドの設置により、分厚い構造を避け、装着時の違和感をなくした。
【発明の効果】
【０００６】本発明の引き出し式経血吸収ガイドにより、ナプキンと膣口部の間に隙間を作らず、なおかつ経血吸収の道すじ（ガイド）ができ、吸収がここから真っ先に起こり、経血が拡散することを防ぐことができる。経血は引き出した跡の凹部分に多くたまり、他へ漏れることも防止できる。なおかつ分厚い構造を持たないために、装着時の違和感がなくなる。なお、引き出し式経血ガイド部分を、引き出さずに使用することができ、その場合は従来のナプキン同様に使用できる。
【実施例】
【０００７】  ナプキンの引き出し式経血吸収ガイドを引き出すと、ナプキンと膣口部の間に隙間を作らず、経血吸収の道すじ（ガイド）となり、経血が拡散することを防ぐことができる。経血は引き出した跡の凹部分に多くたまり、他へ漏れることも防止できる。引き出し式経血ガイド部分を、引き出さずに使用すれば、従来のナプキン同様に使用できる。
【図面の簡単な説明】
【０００８】
【図１】本発明の、引き出し前の正面図である。
【図２】本発明の、引き出し式経血吸収ガイドを引き出して立てた際の、正面図である。
【図３】本発明の、引き出し式経血吸収ガイドを引き出して立てた際の、斜め側面より見た図である。
【符号の説明】
【０００９】１  引き出し式経血吸収ガイド（引き出す前の状態）
２  引き出し式経血吸収ガイド（引き出した状態）
３  ガイドを引き出した跡の窪み（経血だまり）
４  ナプキン本体
【図１】
2007181500.tif 000003
【図２】
2007181500.tif 000004
【図３】
2007181500.tif 000005
(57)【要約】【課題】水分を含有する食品を零下に冷却する際に発生する食品中の水分の氷結作用を、超音波エネルギーを印加する事により、経済的に抑制する事により得られる超音波冷温食品。【解決手段】水分を含有する食品に超音波エネルギーを印加する。その際に、食品内部で定在波、或は、振動の節などが生じない様に超音波帯の周波数を掃引、或は、断続、強度の調整により食品が零下に冷却された状態でも、その内部の水分が氷結する事を抑制する事を解決手段とした超音波冷温食品。【特許請求の範囲】
【請求項１】
超音波エネルギーを食品に与えながら冷却を続け、零下に達するも食品に含有される水分の氷結を抑制したる事を特徴とする超音波冷温食品。
【請求項２】
請求項1の超音波エネルギーは、超音波帯域で掃引する事を特徴に生成された超音波冷温食品。
【請求項３】
請求項2で記述された超音波エネルギーは、その振幅を変調させたる事を特徴とした超音波冷温食品。
【請求項４】
請求項3、4で記述した超音波エネルギーを定期、或は、不定期に断続的に印加させたる事を特徴とした超音波冷温食品。
【発明の詳細な説明】
【技術分野】
【０００１】
本発明は、超音波帯域の振動エネルギーを冷却中の食品に与え、食品中の水分が零下に至るも氷結する事を制御する超音波冷温食品に関するものである。
【背景技術】
【０００２】
従来から食品中の水分の氷結を制御する技術として、温度をゆるやかに低下させ氷結の核の発生を抑制する氷温処理技術や電磁波を照射する技術があったが、前者はゆるやかな温度勾配で食品の内部と外部を均一に冷却する為には、極めて長時間を要し、経済的な効率が良くないと云う重要な欠陥がある。
【０００３】
又、後者の電磁波の照射は、厚みのある食品に対して、その表面は電磁波が直接照射されるのに対して、その食物の厚みが厚くなる程、その内部までに達する経路で電磁波のエネルギーが吸収されて減衰する為に、食品の表面を内部が均一な電磁波のエネルギーを受ける事が出来ない為に、表面で最適なる強度のエネルギーは内部では不充分である。
【０００４】
逆に、内部に適当なるエネルギーを与えると、その場合、表面の部分は過剰なエネルギーを受け、食品の質が損ねられる等の重要なる欠陥を有していた。
【非特許文献１】雑誌「発明」ｖｏｌ．１０２  ２００５  Ｎｏ．１１ Ｐ８〜２０
【非特許文献２】書籍「氷温貯蔵の科学」著者  山根昭美
【発明の開示】
【発明が解決しようとする課題】
【０００５】
本発明は、従来の技術で問題となっている経済的な効率を高める事を、食品の表面と内部を均一に氷結抑制を図る事で課題を解決する。
【課題を解決するための手段】
【０００６】
食品は、水分、或は、油性分等の液体を含有しているものを対象とし、その水分は超音波エネルギーを電磁波エネルギーに比較して減衰率が低い為に、食品の表面と内部とのレベル差が少なくなり、均一に氷結抑制処理を行う事が可能である。
【０００７】
超音波エネルギーは、電気的なるエネルギーを圧電体、或は、磁歪材料を用いた電気機械変換器により得る事が簡単に出来る事は周知の通りである。
即ち、食品を入れる為の容器の底面を超音波励振をさせる為に、PZTチタンジルコン酸鉛からなる駆動素子を張付け、その素子の駆動電極間に所定の超音波帯域の励振電源を接続し、目的の超音波振動エネルギーを備えた容器を得る事が出来る。
【０００８】
斯くして得られた容器を、冷却機能を有する筐体の内部に納めて、短時間に零下に冷却をするも氷結現象を呈することは、超音波エネルギーの働きにより皆無である。超音波エネルギーは解凍時に用いられる程、氷結作用を抑制する機能が強い事からも理解される筈である。
【発明の効果】
【０００９】
食品に色々な条件の超音波エネルギーを与えた結果は、いずれも、食品中の水分を零下に於いても、氷結する作用を制御する効果が見られ、従来の技術では達成されない短時間で目的が達成される経済効果が見られる。
【発明を実施するための最良の形態】
【００１０】
本発明は、食品を冷却し零下に至るも氷結をさせない為に、超音波エネルギーを減衰する気体を媒体とする事なく、固体、或は、液体等を介して食品に与える事により、効率よく水分の氷結抑制作用を掌る。
【００１１】
超音波エネルギーは、掃引により発生される幅の狭いものから、広いものまでの周波帯を、或は、その振幅もランダムなものなど、食品中に定在波が生じて、或は、振動の節が生じてその部分の氷結作用を抑制する事が損なわれない様にする事も、本発明の特徴である。
【００１２】
超音波エネルギーを食品に伝達する際には、対象とする食品の量、質等に於いて箇々には容器の構造（形状であるとか、超音波エネルギー源から食品までの経路）を配慮せねばならない。
【実施例１】
【００１３】
本発明の実施例を詳記する。先ず、超音波帯域の電気信号発生器としてIWATSU社製SG-4105型 FUNCTION GENERATORを用い、電力増幅器としてSANSUI社製  AU-D607X型 INTEGRATED-AMPLIFIERを用意し、食品を入れる容器としてBRANSONIC社製のMODEL5510JMTのULTRASONIC-CLEANER用のステンレス製のパレットの底に張付けられたPZT励振素子以外にも、掃引周波数帯域の幅を拡張する為に、それぞれ前後左右に側板面に共振周波数の異なる4種類のPZTの励振素子を張付け、合計側面、前、後、左、右の4箇と底面の1箇を合わせて、5箇の励振素子のそれぞれの共振周波数帯がスタガー状に適度に偏れた状態でパレットに装着された。
【００１４】
これ等の共振周波数の偏れた励振素子5箇を並列にまとめて、超音波電気信号を発生するSG-4105からAU-D607Xを通じて、増幅された駆動電源に接続をした。パレットの内側には、水を入れ、その中に高分子系のフィルムで防水梱包をした食品（肉）を入れ、零下に温度サークルテスト器ESPEC-CORP製MODEL-TSE-11-Aで、温度を下げて実験を行なったが、マイナス領域に於いても氷結現象は見受けられず超音波エネルギーが有効に氷結作用を抑制する効果が確認された。
【実施例２】
【００１５】
実施例1と同様の実験装置で、パレット内に水を入れ、その中に食品の試験材料として魚を選び防水梱包などの処理をすることなく、直接投入して零下に冷却しながら、食品の観察を続け、超音波の信号を断続的に、その稼動時間対休止時間のデュウテイ（duty）率を変化させた結果、同一の仕事量（稼動時間×稼動力）である場合、その隙間が、秒単位の方が分単位よりも有効に氷結防止作用がある事が判った。
【実施例３】
【００１６】
実施例2と同様の装置で魚類を食品の試料として選択をし、超音波信号の振幅を調整し、超音波エネルギーの強度を制御しながら、氷結の観察をしたが、対象とする食品の量と、零下の温度の値に多く影響を受ける事が判明したので、定量的に食品の量を決めた後に、最適の超音波エネルギーの強度を経験則として求めるのが賢明である事が判った。
(57)【要約】【課題】竹の子を含む食品の全体が青竹の香りを呈して季節感にあふれる、竹の子を含有した凝固食品の製造法を提供する。【解決手段】加熱した豆乳３と水煮した竹の子１との混合物を青竹の竹筒２中で、苦汁等の凝固剤の存在下で冷却して凝固させる。別の実施例では水を加え加熱して溶かした寒天と水煮した竹の子との混合物を、青竹のに竹筒中で冷却して凝固させる。製造される食品は、加熱した混合物を青竹の竹筒中で冷却して凝固させることから青竹の香りをうつされて、青竹の香りがする季節感にあふれたものとなる。【選択図】図１
2007181409.tif 000002
【特許請求の範囲】
【請求項１】
加熱した豆乳と水煮した竹の子との混合物を青竹の竹筒中で、凝固剤の存在下で冷却し
て凝固させることを特徴とする竹の子を含有した凝固食品の製造法。
【請求項２】
水を加え加熱して溶かした寒天と水煮した竹の子との混合物を、青竹の竹筒中で冷却し
て凝固させることを特徴とする竹の子を含有した凝固食品の製造法。
【発明の詳細な説明】
【技術分野】
【０００１】
この発明は竹の子を含有した凝固食品の製造法に関し、青竹の香りがする新規な食品を
提供するものである。
【背景技術】
【０００２】
真空パック又は缶詰にした水煮竹の子が市販されているが、これらの市販品はおよそ竹
の子の香りを呈しない。これらの市販品が竹の子のしゃきしゃきした歯ざわりに加えて香
りも有するものとなれば、季節感が増すこととなろう。
【０００３】
凝固食品の一例である豆腐に風味をつける技術が、特開平１１−２４３８９７号公報か
ら公知である。この公報に開示の技術は果汁類とか酒類等の風味液に豆腐を浸しておくと
するもので、常温での浸漬によってどの程度の風味呈示効果があるか疑わしい。
【特許文献１】特開平１１−２４３８９７号公報
【発明の開示】
【発明が解決しようとする課題】
【０００４】
この発明は水煮した竹の子を含有する凝固食品であって竹の子を含む食品全体が青竹の
香りを有効に呈するものとしてある凝固食品の製造法を提供して、季節感にあふれた食品
を提供しようとするものである。
【課題を解決するための手段】
【０００５】
第１番目の発明に係る凝固食品の製造法は加熱した豆乳と水煮した竹の子との混合物を
青竹の竹筒中で、凝固剤の存在下で冷却して凝固させることを特徴とする。また第２番目
の発明に係る凝固食品の製造法は水を加え加熱して溶かした寒天と水煮した竹の子との混
合物を、青竹の竹筒中で冷却して凝固させることを特徴とする。
【０００６】
第１番目の発明に係る凝固食品の製造法は、水煮した竹の子を含有した豆腐を提供する
ものである。用いる豆乳は大豆から常法で、すなわち大豆を水に浸漬して磨砕した上で加
水して加熱し、次いで濾過するといった方法で製造できる。豆乳には他の成分、例えば特
開平８−７０８０８号公報とか特開２００３−２８４５２０号公報に開示されているよう
に豆腐のみずみずしさとか滑らかさを増すための少量の寒天、を含ませてもよい。水煮し
た竹の子はそのまま、或いは適当な大きさに細断して用いる。凝固剤としては塩化マグネ
シウム（苦汁）、硫酸カルシウム、塩化カルシウム等、豆腐の製造において普通に使用さ
れるものを用いてよい。竹筒は、伐採直後の青竹から得るのが好ましい。豆乳は約８０°
Ｃに加熱し、竹筒中でその温度をしばらく保った上で凝固剤を添加し比較的ゆっくりと冷
却して凝固させるのがよい。
【特許文献２】特開平８−７０８０８号公報
【特許文献３】特開２００３−２８４５２０号公報
【０００７】
第２番目の発明に係る凝固食品の製造法は、水煮した竹の子を含有した寒天食品を提供
するものである。用いる寒天は棒寒天、粉寒天、糸寒天の何れであってもよく、例えば棒
寒天４ｇに５００ｃｃの水を加えた割合のものを沸騰するまで加熱して用いる。水煮した
竹の子については、甘味料とか醤油で薄味に調味してよい。目的とする寒天食品に合わせ
て寒天に適宜の成分を加えてもよく、例えば水羊羹様の食品を得ようとするのであれば小
豆漉し餡と甘味料を追加して加える。水を加え加熱して溶かした寒天は、青竹の筒中にお
きしばらく高温に保った上で比較的ゆっくりと冷却して凝固させるのがよい。
【０００８】
この発明に係る製造法によって製造された凝固食品は一般に、製造に使用された竹筒に
入れたままで冷蔵貯蔵され販売に供せられる。第１番目の発明に係る製造法によって製造
された豆腐は、余分の苦汁等の凝固剤を抜く必要がある場合、竹筒から出して水にさらす
。その上で再び元の竹筒に入れ直すこともできる。製造された豆腐は冷や奴として醤油を
かけ食することも、湯豆腐の食材として用いることもできる。第２番目の発明に係る製造
法によって製造された寒天食品は、一般にそのまま食される。寒天食品がダイエット食品
としてもてはやされているのは、周知の通りである。
【０００９】
この発明の竹の子を含有した凝固食品の製造法によって製造される食品は、加熱した豆
乳又は水溶解寒天を青竹の筒中で冷却して凝固させることから青竹の香りをうつされて、
青竹の香りを呈する。凝固過程に移行するまでに或る時間、竹筒中で高温に保つことによ
って、そして冷却して凝固させるのに要する時間を比較的長く保つことによって、香りを
一層有効にうつせる。青竹の香りがする竹の子を含む食品は、季節感にあふれたものであ
る。
【実施例１】
【００１０】
大豆３００ｇにたいして水８００ｃｃの割合のものを常法に従い処理して、豆乳を製造
した。図１に示すように水煮した１５ｇの竹の子１を入れた直径８ｃｍの青竹の筒２に８
０°Ｃに加熱した豆乳３を注ぎ、約１０分間おいた上で天然苦汁を振りかけ、約３０分の
時間で常温まで冷却して凝固を完成させた。出来上がった竹の子入り豆腐は、青竹の香り
を十分に呈するものであった。
【実施例２】
【００１１】
水に一晩つけておいた棒寒天４ｇに、水を切った上で新たに５００ｃｃの水を加え加熱
して沸騰させて棒寒天を溶かし、ここで上白糖１００ｇと小豆漉し餡３８０ｇを加えて沸
騰させ、次に５０ｃｃの水で溶いた葛粉５ｇを加えて再び沸騰させた。次いで図２に示す
ように直径５ｃｍの青竹の筒２に寒天加熱物４と細断した水煮竹の子１の合計で５ｇとを
、竹の子１が均等に分散するように撹拌して収容した。この混合物を高温のままに約１０
分保ち、次に約３０分かけて常温まで冷却し凝固を完成させて、青竹の香りがする水羊羹
様の寒天食品を得た。
【図面の簡単な説明】
【００１２】
【図１】第１の実施例に係る製造法を示す縦断斜視図である。
【図２】第２の実施例に係る製造法を示す縦断斜視図である。
【符号の説明】
【００１３】
１          水煮竹の子
２          竹筒
３          豆乳
４          寒天加熱物
【図１】
2007181409.tif 000003
【図２】
2007181409.tif 000004
(57)【要約】【課題】  小麦粉とウコンの粉ときな粉と水との材料を使用したウコンを含有する麺の製造方法を提供する。【解決手段】  小麦粉にウコンの粉を混合して、水を加えて十分に練り麺生地にして、気密性を有するシートでくるみ熟成させ、その後、麺生地に圧をかけて空気を抜き板状にしたものを麺にすることを特徴とするウコンを含有する麺の製造方法。  また、請求項２で記載のように、きな粉を混合させてなる請求項１のウコンを含有する麺の製造方法。【特許請求の範囲】
【請求項１】
小麦粉にウコンの粉を混合して、水を加えて十分に練り麺生地にして、気密性を有するシートでくるみ熟成させ、その後、麺生地に圧をかけて空気を抜き板状にしたものを麺にすることを特徴とするウコンを含有する麺の製造方法。
【請求項２】
きな粉を混合させてなる請求項１のウコンを含有する麺の製造方法。
【発明の詳細な説明】
【技術分野】
【０００１】  本発明は、小麦粉とウコンの粉ときな粉と水を材料にしたウコンを含有する面の製造方法に関するものである。
【背景技術】
【０００２】  従来、麺を食すると消化が良いことが知られているが、多めの食塩を使用していることで健康食品ではなかった。また、食塩の替わりに薬草入り梅酢と牛乳で練るうどんの製造方法が知られている（特許文献１）。
【特許文献１】特許平０８−２７５７４６号公報
【発明の開示】
【発明が解決しようとする課題】
【０００３】  そのために、次のような問題点があった。
（イ）麺類は塩分を多く含んでいる食品であり、また、麺のつゆにも塩分が含まれているため過食には、気をつける必要があった。ちなみに、一例として、きつねうどんには約４．７ｇの塩分が含まれている。そして、健康な食生活を送るには成人における一日の塩分摂取量の目安を１０ｇ以下と厚生労働省は指導している。
（ロ）塩分の取りすぎにより、生活習慣病や成人病を引き起こす要因にもつながる。また、病気によっては塩分の摂取制限がある。
（ハ）消化が良いと知られている麺類ではあるが、塩分が多いため健康食品として認められていなかった。
（ニ）食塩の替わりに薬草入り梅酢と牛乳で練ったうどんは、独特な味で本来とは異なる。
本発明は、これらの問題点を解決するためになされたものである。
【課題を解決するための手段】
【０００４】  小麦粉にウコンの粉を混合して、水を加えて十分に練り麺生地にして、気密性を有するシートでくるみ熟成させ、その後、麺生地に圧をかけて空気を抜き板状にしたものを麺にすることを特徴とするウコンを含有する麺の製造方法である。
また、請求項２で記載のように、きな粉を混合させてなる請求項１のウコンを含有する麺の製造方法である。
【発明の効果】
【０００５】  ウコンには苦味と渋味と辛味が混ざりあった味覚があり、その味が食塩に似かよっているため食塩の替わりにウコンの粉を使用することによって、塩分摂取を気にすることなく食べられ、そして、消化が良い健康食品である。また、ウコンの有効成分クルクミンは肝臓の働きを活発化、健胃、利胆、利尿、アルツハイマー病予防、糖尿病予防に効果がある。そして、きな粉を加えることによってクルクミンの吸収率を高める効果がある。また、使用したウコンの粉ときな粉は小麦粉と同様、長期間保存できる材料である。
【発明を実施するための最良の形態】
【０００６】  以下、本発明の実施の形態について説明する。
第１工程  ウコンの根茎をスライスして、十分に乾燥させ砕いて粉末にする。
第２工程  小麦粉に第１工程でできたウコンの粉を混合して水を加え、十分に圧をかけ          ながら練り麺生地にする。また、請求項２記載のようにきな粉を混合して水を          加え、十分に圧をかけながら練り麺生地にする。
請求項１の実施における配合割合は、小麦粉９７．５％、ウコンの粉２．５          ％、これらの粉全体に対し水４４％加える。
請求項１と請求項２を併用した実施配合割合は、小麦粉９２％、ウコンの粉          ２．５％、きな粉５．５％、これらの粉全体に対し水４７％加える。これは、          小麦粉ウコンの粉に比べて、きな粉の水分吸収率が約７％高いためである。
上記の割合を最適量とするが、普通は請求項１の小麦粉とウコンの粉の比率          は９．５：０．５〜９．７５：０．２５の間で適宜調整され、それにより加え          る水の量もこれらの粉全体に対し４２％〜４６％となる。また、請求項１と請          求項２を併用した場合の小麦粉とウコンの粉ときな粉の比率は９．１：０．３          ：０．６〜９．３：０．２：０．５の間で適宜調整され、それにより加える水          の量もこれらの粉全体に対し４５％〜５０％となる。
第３工程  第２工程でできた麺生地を団子状に丸めて、気密性を有するシートでくるみ          熟成さす。
熟成に要する時間は、夏場は約１時間、冬場は約２時間である。
第４工程  第３工程でできた熟成させた麺生地に圧をかけながら空気を抜き、板状にす          る。
第５工程  第４工程でできた板状の麺生地を切り、麺にする。
麺を製造する過程で、食塩の替わりにウコンの粉を使用し、そして、きな粉を混合することによって、ウコンの有効成分クルクミンの吸収率を高める効果があり、消化に良い健康食品になる。また、麺生地に十分な圧をかけることによって腰の強い、粘弾力に富んだのどごしの良い麺になる。
以下、本発明の実施例を説明する。
【実施例１】
【０００７】  きな粉を一緒に混合すれば、ウコンの有効成分クルクミンの吸収率を高めることができるが、請求項１の製造方法でも発明の効果はある。また、少し多めのウコンの粉を混合すれば効果は高くなる。
【実施例２】
【０００８】  成人１人当りのカルシウムの必要摂取量は１日６００ｍｇ位とされているが現代の食生活では不足気味である。そのため、不足しがちな量としてカルシウムを３００ｍｇ〜４００ｍｇ入れることによって骨の発育及び骨粗しょう症の予防、不眠症に効果があり、また、麺につや及び粘りが増す。
【実施例３】
【０００９】    水はＰＨ６．７〜７．０までの弱酸性の軟水が最適である。
上記、実施例において、クルクミンを摂取することによって、肝臓の働きを活発化し、健胃、利胆、利尿、アルツハイマー病の予防、糖尿病予防に効果がある。そして、カルシウムを入れることで、骨の発育及び骨粗しょう症の予防、不眠症に効果があり、また、麺につやと粘りが増す。従来の麺の消化の良さに加え、製造する過程において食塩のかわりにウコンの粉を入れることによって健康食品になる。
以下、本発明の応用例を説明する。
【応用例１】
【００１０】  茹でた麺を即、具や薬味を入れ、つゆをかける調理をし食す。また、つゆのみをかけて食す。
【応用例２】
【００１１】  製麺の水分量を２０％〜２５％に乾燥させ、脱酸素材を一緒に気密性を有する袋に入れ密封することによって、室温で長期間保存することが可能である。
【応用例３】
【００１２】  茹でた麺を即時に気密性を有する袋に入れ冷凍し保存すれば、長期間保存が可能である。
上記の応用例において、即、調理に利用するほかに乾燥や冷凍により長期保存することができる。
(57)【要約】      （修正有）【課題】遊技者が遊技機に遊技球を投入する際、遊技球が一列にならないという不都合をなくし、また遊技機が入賞状態により遊技球を払い出す場合も遊技球の詰まりによる遊技の中断をなくす。【解決手段】円形水平板３がモーター８により回転し遊技球に遠心力が加わり、一球ずつ遊技球を払い出す事が出来、常に遊技球が円形水平板３の上を動いているため遊技球が詰まる事がなくなる。【選択図】図２
2007181474.tif 000002
【特許請求の範囲】
【請求項１】
遊技機の遊技に使用する遊技球を遠心力により払い出し、計数する装置。
【発明の詳細な説明】
【技術分野】
【０００１】  本発明は遊技場で遊技に使用する遊技機に関するものであり、遊戯中の遊技機で使用される遊技球に遠心力を加える事により遊技球の詰まりを無くし、遊技球を遊技機に投入したり遊技機から遊技球を遊技者に払い出したりする事が可能な装置である。
【背景技術】
【０００２】  遊技球の払い出しに関してはソレノイドやモーターを使用する物が現存する。
【発明の開示】
【発明が解決しようとする課題】
【０００３】  今般の遊技場で遊技球を使用し遊技者が遊技をする場合、まず傾斜のついた皿の中に遊技球を入れ遊技球を一列に整列させ、モーターなどを使い一発ずつ発射させ遊技をしていたが、傾斜のついた皿の中で遊技球が互いにぶつかり合い時々一列にならず詰まる事があり、そのつど遊技者が自身の手で遊技球の詰まりを解消するという不都合が発生した。【０００４】  また遊技機が入賞状態により遊技球を払い出す場合も、遊技球を一列に整列させる箇所で遊技球が互いにぶつかり合って詰まり、遊技球の払い出しが出来ず遊技場の係員によって遊技球の詰まりを解除してもらわなければならず、遊技を中断しなければならないという不都合が発生し非常に不便である。本発明は遊技球が互いにぶつかり合って詰まり、遊技が中断されるという問題を解決することを課題とする。
【課題を解決するための手段】
【０００５】  この課題を解決するための
【請求項１】
の発明は円形状の水平板の中心に軸を設け、その軸をモーターで回転させ円形状の水平板の中に遊技球を入れる事により遊技球に遠心力が働き、遊技球が常に円形状の水平板の外側を動いている状態になり円形状の水平板の外側一部に取り付けられているセンサー付きストッパーソレノイドを開閉する事により必要な時に必要な数の遊技球を払い出す事が可能になり、常に遊技球が動いているので遊技球が詰まる事はなくなる装置である。
【発明の効果】
【０００６】  本発明により遊技球を使用する遊技機にあっては、遊技者が遊技機に遊技球を投入する際、遊技球が一列にならないという不都合がなくなり、また遊技機が入賞状態により遊技球を払い出す場合も遊技球の詰まりによる遊技の中断という不都合もなくなる。
【０００７】  そしてこれまで遊技球を使用する遊技機にあっては遊技球を遊技機に投入したり、遊技機の入賞状態により遊技球を払い出したりする際、遊技球を常に一列ずつ並べなければならない為、遊技球の通路を司る成型費用が必要とされていたが本発明を使用する事により遊技機の成型費用も大幅に軽減される。
【発明を実施するための最良の形態】
【０００８】
【図１】
は遠心力を利用した遊技球計数払い出し装置及び遊技球計数投入装置の断面図である。同図に示すように３円形水平板が８モーターにより回転を始めると５センサー付きストッパーソレノイドが解除され遊技機の入賞状態により遊技球が指定された個数だけ払い出される。また
【図５】
の９遊技球計数投入装置は遊技者が遊技機に遊技球を投入する際に使用する装置であり、
【図６】
の１２投入スイッチを遊技者が押すことにより
【図５】
の９遊技球計数投入装置の３円形水平板が８モーターにより回転を始め、５センサー付きストッパーソレノイドが解除され、遊技者が遊技機に遊技球を投入する事が出来る。
【産業上の利用可能性】
【０００９】  本発明に係る遊技球計数払い出し装置及び遊技球計数投入装置は工業的に量産する事が可能であり、産業上の利用可能性を有する。
【図面の簡単な説明】
【００１０】
【図１】  遊技球計数払い出し装置及び遊技球計数投入装置の断面図であり５センサー付きストッパーソレノイド及び８モーターが作動していない状態の図である。
【図２】  遊技球計数払い出し装置及び遊技球計数投入装置の断面図であり５センサー付きストッパーソレノイド及び８モーターが作動し遊技球を払い出している断面図である。
【図３】  遊技球計数払い出し装置及び遊技球計数投入装置の上面図であり５センサー付きストッパーソレノイド及び８モーターが作動していない状態の上面図である。
【図４】  遊技球計数払い出し装置及び遊技球計数投入装置の上面図であり５センサー付きストッパーソレノイド及び８モーターが作動し遊技球を払い出している状態の上面図である。
【図５】  遊技球を使用する遊技機の断面図である。
【図６】  遊技球を使用する遊技機の正面図である。
【符号の説明】
【００１１】  １    遊技球用タンク
２    遊技球
３    円形水平板
４    円形ガイド
５    センサー付きストッパーソレノイド
６    遊技球ガイド
７    モーター軸
８    モーター
９    遊技球計数投入装置
１０    遊技球計数払い出し装置
１１    入賞確認用リール
１２    遊技球投入スイッチ
１３ａ  リール停止スイッチ
１３ｂ        〃
１３ｃ        〃
１４    スタートスイッチ
１５    遊技球投入口
１６    遊技球払い出し受け皿
【図１】
2007181474.tif 000003
【図２】
2007181474.tif 000004
【図３】
2007181474.tif 000005
【図４】
2007181474.tif 000006
【図５】
2007181474.tif 000007
【図６】
2007181474.tif 000008
(57)【要約】  【課題】  乾燥プルーンの甘みを緩和するために、乾燥プルーンと梅肉エキスを組み合わせた食品を提供することを課題とする。  【解決手段】  種のない乾燥したプルーンの内部空間に、梅肉エキスを充填する。種のない乾燥プルーンには、種があった部分に内部空間ができ、また、種を取った穴も開いているので、この穴から内部空間に梅肉エキスを充填することができる。梅肉エキスを乾燥プルーンの内部に充填することで、食した直後に直接梅肉エキスが舌に触れることがなく、噛むことによって乾燥プルーンの甘みと梅肉エキスの酸味が合わさって舌に触れることになり、それぞれを単独で食するよりも食べやすくなる。【選択図】  図１
2007181416.tif 000002
【特許請求の範囲】
【請求項１】
種のない乾燥したプルーンの内部空間に、梅肉エキスを充填したことを特徴とする梅肉エキス入り乾燥プルーン。
【発明の詳細な説明】
【技術分野】
【０００１】
本発明は、梅肉エキスが入った乾燥プルーンに関する。
【背景技術】
【０００２】
プルーンは、鉄分や、ビタミンE、ビタミンAが豊富に含まれている健康食品である。特に、乾燥プルーンは、保存性が高く、そのまま食べることができることができるので、広く食されている。
【発明の開示】
【発明が解決しようとする課題】
【０００３】
ところで、プルーンは乾燥させると糖分が凝縮するので甘みが強く、食べにくいと感じる人も多い。
一方、青梅の絞り汁を長時間煮詰めてペースト状にした梅肉エキスは、強い酸味があり単独では摂取しづらいが、プルーンと組み合わせると、プルーン特有の甘みを緩和することができるとともに、プルーンと同様に鉄分が豊富であることから相乗効果も期待できる。
本発明は、このような観点に立って、乾燥プルーンと梅肉エキスを組み合わせた食品を提供することを課題とする。
【課題を解決するための手段】
【０００４】
上記課題を解決するために、本発明に係る梅肉エキス入り乾燥プルーンは、種のない乾燥したプルーンの内部空間に、梅肉エキスを充填したものである。
【発明の効果】
【０００５】
種のない乾燥プルーンには、種があった部分に内部空間ができ、また、種を取った穴も開いているので、この穴から内部空間に梅肉エキスを充填することができる。梅肉エキスを乾燥プルーンの内部に充填することで、食した直後に直接梅肉エキスが舌に触れることがなく、噛むことによって乾燥プルーンの甘みと梅肉エキスの酸味が合わさって舌に触れることになり、それぞれを単独で食するよりも食べやすくなる。また、プルーンと梅肉エキスのそれぞれの栄養素を同時に摂取することができ、健康食品としての効能を高めることができる。
【発明を実施するための最良の形態】
【０００６】
以下、本発明の実施形態について、図面を参照しながら説明する。
図１に本実施形態に係る梅肉エキス入り乾燥プルーンＸの縦断面図を示す。梅肉エキス入り乾燥プルーンＸは、乾燥プルーン１０内に梅肉エキス２０を充填したものである。
この乾燥プルーンＸの製造方法を以下に説明する。まず、生のプルーンの先端部に穴を開けて種を取り出し、この状態で乾燥させて一般的な種無しの乾燥プルーンを作る。次に、この乾燥プルーンの種を取り出した穴に、図２に示すように梅肉エキス２０を充填した注射器Ａのノズルを挿し込み、注射器のピストンを押して梅肉エキス２０を乾燥プルーン１０の種を取り出した空間内に充填させる。以上の操作により、梅肉エキス入り乾燥プルーンＸを製造することができる。なお、乾燥プルーン１０内への梅肉エキス２０の注入は、注射器を使用するほかにも、ノズルから梅肉エキス２０を注入できるようなものであれば種々の方法を採ることができ、梅肉エキス注入用の専用の器具や機械を製作し、使用することも考えられる。
【０００７】
以上のような構成を有する梅肉エキス入り乾燥プルーンＸは、乾燥プルーンに含まれる鉄分、ビタミンＥ、ビタミンＡ、繊維質及び、梅肉エキスに含まれるクエン酸、ムメフラール、カルシウム、鉄、カリウム、マグネシウム等のミネラルを同時に摂取できるとともに、乾燥プルーンの甘みと、梅肉エキスの酸味が適度に混ざり合い、それぞれを単独で食するよりも食べやすくなる。
【図面の簡単な説明】
【０００８】
【図１】実施形態に係るの梅肉エキス入り乾燥プルーンの縦断面図である。
【図２】実施形態に係る梅肉エキス入り乾燥プルーンの製造過程の一部を示す正面図である。
【符号の説明】
【０００９】
Ｘ  梅肉エキス入り乾燥プルーン
１０  乾燥プルーン
２０  梅肉エキス
【図１】
2007181416.tif 000003
【図２】
2007181416.tif 000004
(57)【要約】【課題】  野球ではバッティングセンターがあり、ゴルフでは（打ちっぱなし）と呼ばれる施設があるのに、サッカーで個人レベルでの娯楽施設が無く、サッカー選手も個人練習をする場所が少なく苦労しているので、これらを解消する娯楽施設を提供する。【解決手段】  地面より高い位置に、サッカーフィールドの３分の１以下の広さのフィールドを設置し、フリーキックを行う。正面や両サイドからボールをけることが出来、難易度が調整できる。けったボールをフィールドと地面との高低差を利用して回収する、屋内フリーキック遊技施設を提供する。【選択図】  図１
2007181512.tif 000002
【特許請求の範囲】
【請求項１】
フィールド外壁部に、平らな板状の構造を持つボール回収装置を設けたことを特徴とするフリーキック遊技施設
【請求項２】
前記ボール回収装置がフィールドと地面との高低差を利用し、導線方向に水平ではなく、傾斜してフィールド外壁に設置され、ボールを集積部分へと導くことを特徴とする、請求項１記載のフリーキック遊技施設
【発明の詳細な説明】
【技術分野】
【０００１】
本考案は、サッカーのフリーキックを楽しめる遊技施設に関するものである。
【背景技術】
【０００２】
現在、存在するサッカーの屋内娯楽施設は、限られた幅のスペースにおいて、ゴールにまっすぐに向かいボールをけるタイプの施設であり、オープンスペースタイプの施設では、学校の体育館、民間のフットサル場など、チームでの利用がほとんどである。
【発明の開示】
【発明が解決しようとする課題】
【０００３】
しかしながら、野球のバッティングセンターや、ゴルフ練習場などのように、個人利用できる場所が無く、他人に迷惑をかけることなく、技術向上のための練習ができる場所も無い。そこでこの考案は、個人利用が出来、娯楽性があり、技術向上のための練習場所を提供することを課題とする。
【課題を解決するための手段】
【０００４】
以上の課題を解決するために、第一発明は、フィールドの外壁部に、平らな板状の構造を持つ、ボール回収装置を設けたことを特徴とする、フリーキック遊技施設である。また第二発明は、ボール回収装置がフィールドと地面との高低差を利用し、導線方向に水平ではなく、傾斜してフィールド外壁に設置され、ボールを集積部分へと導くことを特徴とする、フリーキック遊技施設である。
【発明の効果】
【０００５】
第一発明により、プレイヤーがフィールド上のボールをけり、その結果ボールがフィールドの外壁部に設置されたボール回収装置に落ちることで、プレイヤーはボール回収行為を行わなくてよい。
また、プレイヤーが自由にボールをける場所を選べるので、ゴールマウスに対しての角度が変えられることになり、フリーキックの技術向上につながる。
第二発明により、フィールド上のボールをけると、最終的にはボールはボール回収装置に落ち、ボール集積部分へと導かれることで、ボール回収係の人員が不要になる。
【発明を実施するための最良の形態】
【０００６】
発明の一実施形態を示す。
複数の柱により支えられた、フィールド（１）がある。フィールドの広さは、ペナルティエリア（１６．５ｍ×４０.３２ｍ）以上、サッカーフィールドの３分の１（３５ｍ×６８ｍ）以下とする。フィールドを支えている、四隅の柱の間は、壁（３）が設置されている。そして３面の壁には、囲む様に、雨樋のような役割をする平らな板状の構造を持つボール受けとなる、ボール回収装置（４）が水平ではなく，導線方向に傾いて設置され、２つの角にはボールが転がる方向を９０度変えるための踊り場があり、ボール回収装置に落ちたボールが、ボール回収装置上を転がり、最終的にはボールが、ボール回収口（５）へ集まるように設置されている。
さらにボール回収装置の外側に接して、ボールが外へ落ちないように外壁があり、この遊技施設の背面壁とで囲まれている。
このボール回収装置に関して、材質は問わない。
そしてこのフィールドが地面より高い位置にあるため階段と入り口がある。
プレイヤーからの目線で説明してみると、プレイヤーは、係員がボール回収口から回収したボールを受け取り、階段を上り、入り口を入り、通路を通り、仕切り柵で仕切られた、いずれかの場所に入り、ボールをキックラインに置きゴールマウスに向かい、ボールをける。ゴールマウスにボールが入った場合はボールは下に落ち、ゴールマウスからボールが外れた場合、ボールは弾力吸収用ネットにより、跳ね返りの力が弱められ、最終的にはボール回収装置へ落ちてゆき、ボール回収口へ向かって集められてゆく。
その他の各部の具体的な説明としては、  フィールドの材質は人工芝とする。大きさはペナルティエリア（１６，５ｍ×４０，３２ｍ）以上、サッカーフィールドの３分の１（３５ｍ×６８ｍ）以下とする理由は、子供の利用や、プロ選手の利用にも対応できる広さであることが最良であるからである。
ゴールマウス（２）は市販のものを利用する。ゴールマウスは一般のフィールドでは地面に置かれるが、この遊技施設の場合、フィールドには接してはいるが、その他の大部分は中空に位置するため、それを支えるゴールマウス支持材が必要となる。このゴールマウス支持材は、フィールド外側壁と外壁により支えられている。
キックラインとは、プレイヤーがボールをけりだす位置を示すためのものであり、プレイヤー各自が、好き勝手な位置でボールをけっては、他のプレイヤーに対して危険性があるので、それを防止するためにも設ける。ゴールラインより１０ｍ〜２０ｍの間とする。
仕切り柵について。プレイヤーが横一列になり、キックラインにボールを置いてけるため、各プレイヤーの占有幅を決めなければならない。基本的には１人２ｍとする。その幅をはっきりと示すため柵で仕切る。柵の材質、形状は問わない。
弾力吸収用ネットについて。これは、もし強くけられたボールが外壁にぶつかり、跳ね返ったときの危険防止を目的として設置する。
【産業上の利用可能性】
【０００７】
この実施形態によれば、グランドレベルは実際の地面である必要は無く、建物の屋上部分でも設置可能であるし、また、青空駐車場において、１階部分は現状の駐車場として稼動して、そこの上の空間に高床式でこの遊技施設を建築することも可能であり、土地の有効活用が期待できる。さらにこの場合、１階に駐車した自動車は、雨天時には雨に当たることもなく、降雪地帯においては、駐車場の冬季の除雪をする必要が無いので除雪費用の削減にもなる。一方、図１のフィールド（１）の下の部分、つまりフィールドと地面との間の空間も、他の施設として使用可能である。一例を挙げるならば、各自治体の防災用備蓄品倉庫として非常時の役に立てることも可能である。
【図面の簡単な説明】
【０００８】
【図１】この発明の実施形態を示す、斜視図である。
【図２】この発明のボール回収口を示す、側面図である。
【符号の説明】
【０００９】
１    フィールド
２    ゴールマウス
３    フィールド外壁
４    ボール回収装置
５    ボール回収口
【図１】
2007181512.tif 000003
【図２】
2007181512.tif 000004